(57)【要約】【課題】  運用コストを削減した上で、良好な試し刷りを得ることがでなかった。【解決手段】  本発明は、第１の印刷装置を選択し、前記第１の印刷装置より運用コストが安い第２の印刷装置を選択し、前記選択された  第１の印刷装置と略等しい印刷画像を印刷する為に前記選択された第２の印刷装置に既定の印刷設定項目の登録設定を行い、前記既定の印刷設定項目により処理された画像の印刷を、前記第２の印刷装置に指示をすることを特徴とする。【選択図】  図６
2013186652.tif 000002
【特許請求の範囲】
【請求項１】
第１の印刷装置を選択する第１の印刷装置選択表示手段と
前記第１の印刷装置より運用コストが安い第２の印刷装置を選択する第２の印刷装置選択表示手段と
前記第１の印刷装置選択表示手段で選択された第１の印刷装置と略等しい印刷画像を印刷する為に前記第２の印刷装置選択表示手段で設定された第２の印刷装置に既定の印刷設定項目の登録設定を行う印刷登録設定手段と
前記既定の印刷設定項目により処理された画像の印刷を前記第２の印刷装置に指示する印刷指示手段を有することを特徴とする情報処理装置。
【請求項２】
前記印刷登録設定手段は選択された第２の印刷装置に新たな名称が付けられる事を特徴とする請求項１記載の情報処理装置。
【請求項３】
前記印刷登録設定手段は少なくとも印刷領域、スクリーン、色に関するいずれか１つの設定を行う事を特徴とする請求項１記載の情報処理装置。
【請求項４】
前記印刷指示手段は前記第２の印刷装置で印刷を指示する第２の印刷指示手段に加え、第１の印刷装置で印刷を指示する第１の印刷指示手段と
を有する事を特徴とする請求項１記載の情報処理装置。
【請求項５】
前記第２の印刷装置選択表示手段で選択された印刷装置がインクジェット方式で有る事を特徴とする請求項１記載の情報処理システム。
【請求項６】
電子写真方式の印刷装置を選択する第１の印刷装置選択表示手段と、
インクジェット方式の印刷装置を選択する第２の印刷装置選択表示手段と、
前記第１の印刷装置選択表示手段で選択された電子写真方式の印刷装置と略等しい印刷画像を前記インクジェット方式の印刷装置で得るために少なくともスクリーンの登録設定を行う印刷登録設定手段と、
前記インクジェット方式の印刷装置で印刷を指示する印刷指示手段とを有する情報処理装置。
【請求項７】
第１の印刷装置を選択し、
前記第１の印刷装置より運用コストが安い第２の印刷装置を選択し
前記選択された第１の印刷装置と略等しい印刷画像を印刷する為に前記選択された第２の印刷装置に既定の印刷設定項目の登録設定を行い、
前記既定の印刷設定項目により処理された画像の印刷を、前記第２の印刷装置に指示をすることを特徴とする情報処理方法。
【請求項８】
電子写真方式の印刷装置を選択し、
インクジェット方式の印刷装置を選択し、
前記選択された電子写真方式の印刷装置と略等しい印刷画像を前記インクジェット方式の印刷装置で得るために少なくともスクリーンの登録設定を行い、
前記インクジェット方式の印刷装置で印刷を指示することを特徴とする情報処理装置。
【請求項９】
コンピュータにより、請求項７、８のいずれか１項に記載された情報処理方法を実行するためのプログラム。
【発明の詳細な説明】
【技術分野】
【０００１】
本発明は、安価な運用コストを行わせることができる情報処理装置、情報処理方法及びプログラムに関する。
【背景技術】
【０００２】
電子写真方式を用いた印刷装置とインクジェット（以下ＩＪ）方式の印刷装置が一般オフィースに混在して導入され、ネットワーク下では両者を選択して使う事が出来る。
一方、特許文献に依れば、多色刷りオブジェクトはオフセット印刷方式で印刷し、単色のオブジェクトをＩＪ方式で印刷し、ページ内を異なる印刷方式に分割する事で総合的に安価に印刷する技術が開示されている。
この時、ＩＪ方式で印刷されたオブジェクトの画像を読み取って、オフセット印刷のそれとの記録位置ズレや濃度の違いを検出し、両者が合うように補正する技術も開示されている。
【先行技術文献】
【特許文献】
【０００３】
【特許文献１】特開２０１１−１６７９２０号公報
【発明の概要】
【発明が解決しようとする課題】
【０００４】
異なる印刷装置が使える場合、より運用コストを下げる為に、所謂試し刷り的印刷には本番用に使う印刷装置に比べて運用コストの安価な印刷装置を使う事が望ましい。しかし、特に記録方式の異なる印刷装置では、画像を記録可能な領域、中間調の表現方法、色再現範囲等が異なる。その為に、例えば、運用コストの安いＩＪ方式の印刷装置で試し刷りを繰り返し行いながら編集作業を終了した後、電子写真方式の印刷装置で清書印刷する際、両者の印刷物は必ずしも一致せず、再度修正編集する事を余儀なくされる。上述した特許文献においては１ページ内のオブジェクトを其々ＩＪ方式及びオフセット印刷方式で印刷する為、上記課題は開示されていなく、解決する為の技術も開示されていない。
本発明は、上記の問題点を解決するためになされたものである。本発明は、試し刷りした際場合に運用コストの安価な情報処理装置を提供する事を目的とする。
【課題を解決するための手段】
【０００５】
本発明は、上記目的を達成する為に、第１の印刷装置を選択する第１の印刷装置選択表示手段と、前記第１の印刷装置より運用コストが安い第２の印刷装置を選択する第２の印刷装置選択表示手段と、前記第１の印刷装置選択表示手段で選択された第１の印刷装置と略等しい印刷画像を印刷する為に前記第２の印刷装置選択表示手段で設定された第２の印刷装置に既定の印刷設定項目の登録設定を行う印刷登録設定手段と、画像を印刷する為に、前記第１及び第２の印刷装置で印刷を指示する印刷指示手段を有する。
【発明の効果】
【０００６】
本発明によれば、運用コストを削減した上で、第１の印刷装置と略同じ画像を得ることができる。その結果運用コストを削減した上で、良好な試し刷りを得ることができる。
【図面の簡単な説明】
【０００７】
【図１】本発明の一実施例を示す情報処理システムの利用環境を示す概略図である。
【図２】印刷システムの機能構成の一例を示すブロック図である。
【図３】ＰＣ１０上で動作する所謂プリンタードライバー画面である。
【図４】試刷プリンターの設定フローである。
【図５】印字領域を示す図である。
【図６】試刷プリンターで印刷する際のドライバー画面である。
【図７】試刷プリンターのプロパティの印刷品質画面である。
【図８】本発明の一実施例により印刷装置でラスタライズする実施例である。
【図９】本発明の一実施例によりドライバーでラスタライズする別実施例である。
【図１０】本発明の一実施例のドライバー画面の別実施例である。
【図１１】試し印刷キーでの印刷フローチャートである。
【発明を実施するための形態】
【０００８】
以下、本発明を実施するための形態について図面を用いて詳説する。本実施形態では、情報処理システムを例に説明するが、本発明はこれに限定されるものではない。
【実施例】
【０００９】
本実施例は、清書用として電子写真方式の印刷装置を使用し、運用コストの安い試し刷り用としてＩＪ印刷装置を使用する印刷システムからなる。そして、上記電子写真方式の印刷装置と略等しい印刷画像を印刷する為にＩＪ印刷装置に印刷登録設定手段で既定の印刷設定項目の設定を行い、試し刷り用として新たにＩＪの印刷装置を登録する。
【００１０】
その結果ＩＪ方式の印刷装置で試し刷りしながら編集作業を繰り返して最終の印刷データを作成し、その後、同じ印刷データ用いて本番用の電子写真方式の印刷装置で清書印刷しても、その印刷物がＩＪ方式で試し刷りした際の印刷物と略同じになる様にする。
【００１１】
図１は、本発明の一実施例を示す情報処理システムの利用環境を示す概略図である。
【００１２】
本実施例の印刷装置３０及び４０は、其々ＩＪ記録方式の印刷装置（ＩＪ−５０００）と、電子写真方式の印刷装置（カラーレーザビームプリンター）であり、其々ＰＣ１０（情報処理装置）とはネットワーク２０を介して接続されている。尚、ネットワークは有線でも無線でもよい。ＰＣ１０に搭載されたアプリケーションソフトに付随したプリンタードライバー画面上でそれぞれの印刷装置を選択設定すれば、それぞれの印刷装置にて印刷が可能である。
【００１３】
ＩＪ方式の印刷装置３０は運用コストが安いが、普通紙での画質が電子写真方式の印刷装置４０に劣る為、高品位な画質が求められる場合には使えない。一方、電子写真方式の印刷装置４０は高速で高画質だが運用コストが高い。従って本実施例では電子写真方式の印刷装置４０を清書用の印刷装置とし、ＩＪ方式の印刷装置３０を試し刷り（下書き）用の印刷装置として設定する。運用コストとは、印刷装置の印刷処理時のコスト（電気代等を含む）、紙、インク代を含めた１枚当たりの印刷コストである。
【００１４】
一般に電子写真方式の印刷装置４０は記録過程で、記録紙の端部を挟んで記録紙を搬送する為、記録紙全域には印字は出来ない。一方ＩＪ方式の印刷装置３０は記録紙を帯状に搬送し、記録を行う為に、記録紙全域への所謂ふちなし印字が可能である。又、一般に電子写真方式の印刷装置４０は１５０線から２００線程度の一般のグラビア印刷で用いる網点スクリーンで中間調を表現する。一方、ＩＪ方式の印刷装置３０は印画紙の写真の様に誤差拡散法や乱数ディザ法を用いて、人の目では人工的なスクリーンが見え無い中間調を表現出来る。又、表現出来る色域も用いる記録紙に応じて両者は大きく異なる。
【００１５】
従って、印刷装置３０で記録出来た端部の情報が同じ印刷データを印刷装置４０で印刷した場合、欠けたり、画像自体のサイズが異なる。又、ハーフトーン中の文字の見え方もＩＪ方式では周りの中間調部が滲んで小さな文字が鮮明に表現出来ない等、両者の中間調の表現方式の違いで記録物は視覚的に随分異なる。従って  印刷装置４０で印刷する際には再度上記観点で試し印刷し、場合に依ってはレイアウトや文字サイズ色の濃度の再調整が必要であった。
【００１６】
図２は、図１で示した本発明の印刷システムの機能構成の一例を示すブロック図である。図示するように、印刷システムは、例えば、不図示の、ＣＰＵ（Ｃｅｎｔｒａｌ  Ｐｒｏｃｅｓｓｉｎｇ  Ｕｎｉｔ）と、ＲＡＭ（Ｒａｎｄｏｍ  Ａｃｃｅｓｓ  Ｍｅｍｏｒｙ）と、ＲＯＭ（Ｒｅａｄ  Ｏｎｌｙ  Ｍｅｍｏｒｙ）と、ハードディスクと、ディスプレイ等の表示装置と、キーボードやマウス等からなる入力装置と、印刷装置３０及び４０と印刷データの送受信を行う通信インターフェイス、などを備えた一般的なコンピューター（パーソナルコンピューター）ＰＣ１０で実現される。また、ＰＣ１０は、パーソナルコンピュータに限定されず、通信機能を有する携帯電話、スマートフォン等の携帯端末でもよい。
【００１７】
ＰＣ１０は、図示するように、アプリケーション１１と、プリンタードライバー１２がインストールされると、記憶部１５が少なくとも内蔵される。アプリケーション１１、及び、プリンタードライバー１２は、ＰＣ１０が備えるＲＯＭなどからＲＡＭにロードされたコンピュータープログラムを、ＣＰＵが実行することにより動作する。記憶部１５は、ＲＯＭやハードディスクなどの記憶装置により構築される。
【００１８】
アプリケーション１１は、印刷対象の印刷データを作成する処理を行う。ここで、印刷データは、文書作成ソフトウェアが生成するデータ（例えば、ワード（登録商標）ファイル）や、表計算ソフトウェアが生成するデータ（例えば、エクセル（登録商標）ファイル）や、描画ソフトウェアが生成するデータ（例えば、パワーポイント（登録商標）ファイル）などを含む。アプリケーション１１は、ＰＣ１０にインストールされた、一般的なドキュメント作成プログラムに従って機能する。このドキュメント作成プログラムには、例えば、ワード、エクセル、パワーポイントなどが含まれる。
【００１９】
プリンタードライバー１２は、印刷装置３０及び４０における印刷設定を行うとともに、印刷装置３０及び４０を選択し、印刷の為に制御する。図示するように、プリンタードライバー１２は、設定部１３と、実行部１４とを有する。
【００２０】
設定部１３は、印刷装置３０及び４０おける印刷設定を行う。ここで、「印刷設定を行う」とは、プリンタードライバー１２（後述する実行部１４）が印刷データを生成するときに参照するパラメーター（以下では、単に「設定値」とよぶ）を決定することをいう。具体的には、設定部１３が、設定項目ごとの設定値を所定の格納場所（メモリー上）に格納することをいう。また、上記の設定項目には、例えば、「印刷範囲」、「カラーマッチング方法」、「給紙の為のカセット段」、「用紙サイズ」、「中間調を表現するスクリーン」、「印刷倍率」などの項目が含まれる。
【００２１】
また、本実施例では、印刷装置３０を一般のＩＪ方式の印刷装置としてだけでは無く、印刷装置４０の試し印刷用に目的を特定して利用する。そして試し印刷の度に、既定の固定的な印刷設定での試し印刷を、何度も繰り返すことが多い。そのため、設定部１３は、試刷プリンターとしてのこの印刷設定を、予め記憶部１５に登録しておく機能を有している。
【００２２】
実行部１４は、印刷情報を生成し、生成した印刷情報を印刷装置３０及び４０に転送して印刷を行わせる。具体的には、実行部１４は、設定部１３によって設定された印刷設定に従う印刷を印刷装置３０及び４０に行わせるための制御コマンドを、印刷ベクトルデータや印字データとともに印刷装置３０及び４０に転送する。ここで印刷ベクトルデータとは所謂ページ記述言語であり、この印刷ベクトルデータは印刷装置３０および４０において実際に印刷装置３０及び４０で使われる印字データに変換される。又印字データとは印刷装置３０及び４０で直接印字出来るデータであり、安価な印刷装置に対しては通常、プリンタードライバー１２の実行部１４で生成され印刷装置３０及び４０に転送される。
【００２３】
記憶部１５は、図示するように、プリセット登録テーブル１６と、設定ファイル１７と、を記憶する。例えば、プリセット登録テーブル１６については、プリンタードライバー１２のインストール用パッケージに予め格納されており、ＰＣ１０へのインストールの時に、記憶部１５に記憶される。また、設定ファイル１７については、設定ファイル作成者により、任意のタイミングで記憶部１５に記憶される。試刷プリンター用に印刷設定された後述する規定の設定項目が固定的に設定された設定ファイル１７は、印刷装置３０の設定ファイルとは異なる名称で記憶部１５に記憶保持される。
【００２４】
次に、印刷装置３０及び４０について説明する。
【００２５】
印刷装置３０及び４０は、例えば、不図示の、ＣＰＵと、ＲＡＭと、ＲＯＭと、ネットワークインターフェイスと、印刷エンジンと、入力装置（ボタン、タッチパネルなど）と、表示装置（表示パネルなど）と、を備えている。ただし、印刷装置３０及び４０の構成はこれに限定されるものではなく、例えば、ページ記述言語から印字データへの変換処理を行うＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などを備えていてもよい。また、印刷装置３０及び４０は、印刷装置３０及び４０に限定されず、例えば、複合機、ＦＡＸ装置などでもよい。
【００２６】
印刷装置３０、４０上には、少なくとも印刷実行部３１、４１が構築される。印刷実行部３１、４１は、印刷装置４０が備えるＲＡＭにロードされたコンピュータープログラムを、ＣＰＵが実行すること、及び、印刷エンジンが動作すること、により構築される。或いは、印刷実行部３１、４１が有する機能を実現する専用のＡＳＩＣなどが動作することにより構築されてもよい。
【００２７】
印刷実行部３１、４１は、ＰＣ１０から転送された印刷情報に基づき印刷する。具体的には、印刷実行部３１、４１は、ＰＣ１０のプリンタードライバー１２（実行部１４）が生成した印刷データと、印刷についての制御コマンドを受信する。そして、印刷実行部３１、４１は、受信した制御コマンドに従って印刷エンジンを制御し、受信した印刷データの印刷処理を実行する。なお、印刷実行部３１、４１は、プリンタードライバー１２から受信した印刷データが、そのまま印刷できないページ記述言語の場合には、受信した印刷データに対して所定の画像処理を施し、印刷可能な印字データに変換してから、印刷を実行する。
【００２８】
尚、上記の各構成要素は、図１に示す印刷システムの構成を理解容易にするために、主な処理内容に応じて分類したものである。各構成要素の分類の仕方や名称によって、本願発明が制限されることはない。図１に示す印刷システムの構成は、処理内容に応じて、さらに多くの構成要素に分類することもできる。また、１つの構成要素がさらに多くの処理を実行するように分類することもできる。また、図１に示す印刷システムにおける各機能部は、ハードウェアにより構築されている場合には、各機能部の処理が１つのハードウェアで実行されてもよいし、複数のハードウェアで実行されてもよい。
【００２９】
本発明の実施例を図３以降の図面を用いて詳細に説明する。
【００３０】
図３は、ＰＣ１０上で動作する所謂プリンタードライバー画面３００であり、印刷に使う印刷装置や印刷に関する設定や設定された状態を設定表示する。プリンタードライバー画面３００中の通常プリンター設定部３０１は通常印刷に用いる印刷装置を複数の印刷装置から、ユーザが選択表示する箇所で今、印刷装置４０が選択されている。一方試し刷り印刷用の印刷装置は試刷プリンター設定部３０２で今、印刷装置３０に設定されている。この設定状態で試刷登録キー３０３を押下すれば、印刷装置３０（ＩＪ−５０００）が印刷装置４０（カラーレーザビームプリンター）の試し刷り印刷用の印刷装置として登録される。この時図２に示す様に装置の実態は印刷装置３０と同じだが、既定の設定項目が固定された新たなＩＪ−５０００（カラーレーザビームプリンター試刷）なる新規の印刷装置５０がネットワーク２０に接続されたと等価状態に成り、その使用が可能になる。
【００３１】
図４に上記した試刷プリンターの設定フローを示す。図３に示すプリントドラーバー画面の状態において試刷登録キー３０３が押下されると、選択されたカラーレーザビームプリンター用の試刷プリンターはＩＪ−５０００として登録される。試刷登録キー３０３が押されると、まずステップ４０１にてＩＪ−５０００のプリンタードライバーを複製する。具体的には図２で既に説明した様に、プリセット登録テーブル１６及び設定ファイル１７に、既に格納されているＩＪ−５０００のデバイス情報を新たな試刷プリンター５０用に複製する。そして、プリセット登録テーブル１６及び設定ファイル１７に新たにＩＪ−５０００（カラーレーザビームプリンター試刷）なる新規なプリンタードライバーとして名称を付けて登録表示する（ステップ４０２）。
【００３２】
次に設定ファイル１７に記憶保持されているカラーレーザビームプリンターのデバイス情報を取得する（ステップ４０３）。取得する設定情報の例を表１に示す。
【００３３】
【表１】
2013186652.tif 000003
【００３４】
設定情報は中間調を表現するスクリーン、色情報、印刷範囲、であり、新たなＩＪ−５０００（カラーレーザビームプリンター試刷）のプリンタードライバーの設定部１３には、カラーレーザビームプリンターと同じ線数と同じスクリーン角度有した４色分の網点スクリーン（組織ディザ閾値列）を登録する。ＩＪ−５０００（カラーレーザービームプリンター試刷）が試刷プリンターとして選択されると使用するスクリーンはこれに固定的に使う。この登録された網点スクリーン（組織ディザ閾値列）を固定的に使用することで、カラーレーザビームプリンターにおいて再現されるスクリーン角と略同じスクリーンを実現した印刷がＩＪ−５０００で実現できる。色情報はカラーレーザビームプリンターと略同じ色再現させる為に、一般的にカラーマッチング手法として公知の変換テーブルを作成して設定する。又、印字領域は本来ならば記録用紙全域に記録可能なＩＪ−５０００であるにも関わらずカラーレーザビームプリンターと同じ領域に制限させる為の設定を行う（ステップ４０４）。次に印刷領域に関して詳説する。
【００３５】
図５は印字領域を示す図である。図５−１はカラーレーザビームプリンターの印字領域を示した図である。電子写真方式の印刷装置４０は記録紙上の左右５ｍｍ（図中Ｌｘ＝５ｍｍ）、前後３ｍｍ（図中Ｌｙ＝３ｍｍ）の領域で画像が印字出来ない。従って、一般のアプリケーション１１やプリンタードライバー１２では予めこの画像の印字領域の情報を印刷装置から取得し、アプリケーション１１で作成された印刷データはプリンタードライバー１２で画像全体をこの印字領域内に記録する為に縦  横  独立に縮小変倍処理が行われる。
【００３６】
アプリケーションによっては、綴じしろ等を考慮して、更に先端（後端）余白、及び左右の余白の設定が行え、この設定分更に印字領域は狭くなる。図５−１の例では印字欠け幅を考慮した印字領域はＰ（Ｌｘ，Ｌｙ）を起点に５００で示され、更に設定された余白を考慮した最終的な印字領域は５０１となる。
【００３７】
図５−３はＩＪ−５０００で印刷した画像“Ａ”を同じ印刷データを用いてカラーレーザビームプリンターにより印刷した場合の記録画像例である。明らかにＩＪ−５０００の印字領域が広い為、この印刷画像で試し刷りした後、カラーレーザビームプリンターで清書すると、カラーレーザビームプリンターの画像欠け幅の領域の画像が欠ける。カラーレーザビームプリンターによりＩＪ−５０００による試し刷りと一致した印刷画像を得るためには、ＩＪ−５０００による試し刷り後、印刷データの再度の編集が必要となる。或いは、印刷データはアプリケーションに依っては画像欠け幅を考慮して、図５−１の印字範囲５００内に縦横独立に縮小した画像としてカラーレーザビームプリンターにより印刷される。いずれにせよ、ＩＪ−５０００とカラーレーザービームプリンタは同じ画像データを用いて印刷しても両者の画像は一致しない。
【００３８】
そこで、ＩＪ−５０００（カラーレーザビームプリンター試刷）ドライバーでは図５−２で示す様にカラーレーザビームプリンターと同じ点Ｐ（Ｌｘ，Ｌｙ）を起点に印刷データに縮小処理をして印字データを生成する事になる。尚ＩＪ−５０００（カラーレーザビームプリンター試刷）はふちなしモードを用いて、全面印刷する為、縮小処理により生成された印字データの周りのカラーレーザビームプリンターの画像欠け幅に相当する領域は白の印字データで埋める。
【００３９】
図５−４の様に、登録設定した試刷プリンターＩＪ−５０００（カラーレーザビームプリンター試刷）では、上述したように予めカラーレーザビームプリンターと同じ印字領域に設定し、白の印字データを用いることで試刷りの際に画像欠け幅の領域での印字がされない。カラーレーザビームプリンターで同じ印刷データを用いて清書してもＩＪ−５０００の印刷画像と略同じ印刷画像が得られる。
【００４０】
尚、アプリケーション１１では試刷プリンター５０で印刷する場合、その印刷範囲は印刷装置４０の印字領域と同じ印刷範囲が設定されている為、印刷データ自体、図５−１で先に示した画像の欠けは発生しない。
【００４１】
試刷プリンター５０で印刷する際のドライバー画面６００を図６に示す。ユーザは、印刷プリンター選択部６０１から先のＩＪ−５０００とカラーレーザビームプリンターと上述したように作成されたＩＪ−５０００（カラーレーザビームプリンター試刷）の３種の印刷装置を選ぶ事が出来る。今試刷プリンター５０で印刷するには印刷プリンター選択部６０１でＩＪ−５０００（カラーレーザビームプリンター試刷）を選択し、ＯＫキー６０２を押下する。このＯＫキー６０２が、試刷プリンター５０に対する印刷指示を行う指示部となる。このＯＫキー６０２を指示すると、以下図８に示す手順で試刷プリンターによる印刷が実行される。
【００４２】
図７にＩＪ−５０００（カラーレーザビームプリンター試刷）のプロパティの印刷品質画面７００を示す。通常この画面では一般、グラフィック、写真等の印刷目的に応じて各種の設定を選ぶ事が出来るが、本実施例では印刷目的はカラーレーザビームプリンターで清書印刷するための試刷印刷７０１に固定化されている。
【００４３】
さて図６で試刷プリンターでの印刷が開始された時のプリンタードライバー１２の実行部１４の動作を図８−１で、プリンタードライバー１２からの指示を受けて動作する試刷プリンター５０の印刷実行部５１の動作を図８−２を用いて説明する。図６において、まず設定印刷プリンターが設定部６０１にて、ＩＪ−５０００（カラーレーザビームプリンター試刷）である為、プリンタードライバー１２の実行部１４では図８−１で示す様に、先に説明したＩＪ−５０００（カラーレーザビームプリンター試刷）用の各種の設定を行う（ステップ８００）。その後、表１の印刷範囲、印刷対象、印刷部数を其々ステップ８０１、８０２、８０３で設定し、各種設定値や、印刷の為の中間コマンドや印刷の為のページ記述言語としてのベクトルデータと共に試刷プリンター５０に印刷データとして転送する（ステップ８０４）。
【００４４】
この印刷データを試刷プリンター５０の印刷実行部５１で受信し、図８−２のステップ８０６では試刷プリンター５０で既に設定された印字領域、使用スクリーン、カラーマッチングの為の変換テーブル等の設定情報を受信し、順次ページ記述言語を印字データに変換する（ステップ８０７）。ステップ８０７の処理は所謂ラスタライズと呼ばれ、カラーレーザビームプリンターと略同じ色が再現出来る様、テーブル変換（カラーマッチング）してたベクトルデータをラスターデータに展開し、印字領域内に縮小処理し、その後組織的ディザ閾値列を用いた中間調処理を行うことで網点化する。試刷プリンター５０はＩＪ方式の為、記録バンド幅分の展開が終わる度に印刷を実行し（ステップ８０８）全ての印刷データの記録が終了するまでこれらの処理を繰り返す。
【００４５】
以上の処理でＩＪ方式のＩＪ−５０００を用いて、安価な運用コストで略カラーレーザビームプリンターと略同じ画像を試刷りする事が出来る。なお、略同じ画像とは、表１に示される設定に基づきＩＪ記録方式の印刷装置にて印刷が行われることで、カラーレーザビームプリンターによる印刷画像の色域の再現、印字領域、スクリーン角をまねた印刷画像のことである。
【００４６】
［別実施例］
先の実施例では試刷プリンター５０の印刷実行部５１でラスタライズする例を説明したが、プリンタードライバー１２の実行部１４でラスタライズする別実施例の動作を図９−１で、その指示を受けて動作する試刷プリンター５０の印刷実行部５１の動作を図９−２を用いて説明する。
【００４７】
図６の様に、まず設定印刷プリンターが設定部６０１にてＩＪ−５０００（カラーレーザビームプリンター試刷）となっている。よって、プリンタードライバー１２の実行部１４では図９−１で示す様に、先に説明したＩＪ−５０００（カラーレーザビームプリンター試刷）用の各種の設定を行う（ステップ９００）即ち、試刷プリンター５０で既に設定された印字領域、使用スクリーン、カラーマッチングの為の変換テーブルを読み出す。その後図６で設定された印刷範囲、印刷対象、印刷部数を其々ステップ９０１、９０２、９０３で設定する。
【００４８】
ステップ９０４ではアプリケーション１１で作成された印刷情報に従って順次ページ記述言語を印字データに変換する。詳説しないが、ステップ９０４の処理は所謂ラスタライズと呼ばれ、カラーレーザビームプリンターと略同じ色が再現出来る様、テーブル変換（カラーマッチング）されたベクトルデータをラスターデータに展開し、印字領域内に縮小処理し、その後組織的ディザ閾値列を用いた中間調処理を行うことで網点化する。ステップ９０４は実際に試刷プリンター５０で印字出来る印字データか、或いは印字データをデータ圧縮した印刷データを、試刷プリンター５０に転送する。
【００４９】
全ての印刷データの記録が終了するまでこれらの処理を繰り返す。
【００５０】
この印刷データは試刷プリンター５０の印刷実行部５１で順次受信（ステップ９０７）され、圧縮データの場合はデータ伸長し、印字データの受信が終了するまで、記録幅分の印刷（ステップ９０８）及びステップ９０７の受信を繰り返る。
【００５１】
ＩＪ方式の印刷装置は、印刷装置の印刷実行部でページ記述言語を展開しない本実施例の場合の方が多く、より運用コストを下げる事が可能である。
【００５２】
先の実施例で試し刷りを行うには予め登録された試刷プリンタ５０を選択しなければならなかった。図１０に示す画面１０００は本発明の第２の別実施例であり、通常プリンターでの印刷キーとは別に試刷プリンターでの印刷キー有しており、煩わしい操作をする事無く試し刷りが出来る。
【００５３】
即ち図１０のプリンタードライバー画面１０００ではプリンター選択部１００２でカラーレーザビームプリンターが選択され、一方試刷プリンター設定部１００１ではＩＪ−５０００が選択され、先に図３を用いて詳説した様に、この状態で試刷登録キー１００５が押され表１のように印刷項目が登録される。
【００５４】
図１１はこの状態で印刷を行う場合のフローチャートを示す。
【００５５】
この状態で試し印刷キー１００４が押下されたなら、図１１のステップ１１００からステップ１１０１に分岐し、先に説明した様にカラーレーザビームプリンターと略同じ画像が得られる設定下でＩＪ−５０００を用いて試し印刷を開始する。一方、この状態で印刷キー１００３が押下されたステップ１１０２からステップ１１０３に分岐し、通常に設定されたプリンターカラーレーザビームプリンターを用いて印刷を開始する。
【００５６】
本実施例は先の実施例に比べて、試刷プリンターの選択操作が不要となる為、試し刷り印刷をよりし易く、運用コストの削減に大きな効果が得られる。
【００５７】
尚上述した実施例、別実施例では、プリンタードライバーを用いて説明をしたが、アプリケーションから印刷を指示するドライバーレスの場合には、このアプリケーションが図３〜図１１のインターフェイス、機能を提供してもよい。
【００５８】
この場合、アプリケーションのユーザインターフェイスから試刷登録が可能となり、試刷プリンターとしてインクジェットプリンターを登録できる。そして３０１、３０２に相当する複数のプリンターが選択でき、試し印刷３０４、印刷３０５の指示部が同じ画面に表示される。
【００５９】
もちろんインクジェットプリンターの設定ファイル１７には上述した既定の設定項目が固定的に設定される。以上の実施例、別の実施例によれば安価なインクジェット（以降ＩＪ）方式の印刷装置で試し刷りを行って編集作業を行って作成した印刷データを再編集しなくても、略同一の画像として清書用の電子写真方式の印刷装置で最終の清書印刷する事が可能となる。
【００６０】
その結果、手間をかけることなく電子写真方式の印刷装置の精度のよい試し印刷を安価なインクジェット方式の印刷装置で実現できる。
【００６１】
［本発明の他の実施形態］
前述した実施形態の機能を実現するように前述した実施形態の構成を動作させるプログラムを記憶媒体に記憶させ、該記憶媒体に記憶されたプログラムをコードとして読み出し、コンピュータにおいて実行する処理方法も上述の実施形態の範疇に含まれる。また、前述のプログラムが記憶された記憶媒体はもちろんそのプログラム自体も上述の実施形態に含まれる。
【００６２】
かかる記憶媒体としてはたとえばフロッピー（登録商標）ディスク、ハードディスク、光ディスク、光磁気ディスク、ＣＤ―ＲＯＭ、磁気テープ、不揮発性メモリカード、ＲＯＭを用いることができる。
【００６３】
また前述の記憶媒体に記憶されたプログラム単体で処理を実行しているものに限らず、他のソフトウエア、拡張ボードの機能と共同して、ＯＳ上で動作し前述の実施形態の動作を実行するものも前述した実施形態の範疇に含まれる。
【図１】
2013186652.tif 000004
【図２】
2013186652.tif 000005
【図３】
2013186652.tif 000006
【図４】
2013186652.tif 000007
【図５】
2013186652.tif 000008
【図６】
2013186652.tif 000009
【図７】
2013186652.tif 000010
【図８】
2013186652.tif 000011
【図９】
2013186652.tif 000012
【図１０】
2013186652.tif 000013
【図１１】
2013186652.tif 000014